(57)【特許請求の範囲】
【請求項１】
睡眠中の使用者を支持するベッド本体に多数のスプリングユニットをそれぞれ交換自在に収容するユニット収容凹部を形成し、ユニット収容凹部に仮想設定する各領域に使用者の身体的特徴に合わせて調整したバネ定数のスプリングユニットを収容し、ベッド本体の各部の鉛直方向の沈み込み量を調整するベッドであって、
仰臥位の使用者が位置する中央列部の中央領域と、前記中央列部の左右両側で側臥位の使用者が位置する左列部の左サイド領域と右列部の右サイド領域を少なくとも含む大きさのユニット収容凹部が形成されたベッド本体を備え、
前記中央領域の仰臥位の使用者の背部が位置する上部中央領域と、臀部が位置する下部中央領域とに、仰臥位の使用者の胴部中心軸が前記ベッド本体の平面である臥床面に平行となるように、バネ定数を調整した１または２以上のスプリングユニットを交換自在に収容するとともに、
前記左サイド領域と前記右サイド領域のそれぞれ側臥位の使用者の肩峰が位置する上部サイド領域と、大転子が位置する下部サイド領域とに、側臥位の使用者の胴部中心軸が前記臥床面に平行となるように、バネ定数を調整した１または２以上のスプリングユニットを交換自在に収容することを特徴とする仰側臥位対応ベッド。
【請求項２】
中央列部の上方に配置され、仰臥位の使用者の頭頸部中心軸と胴部中心軸との傾斜角をほぼ１５度とする高さで、少なくとも左右各列部間の幅以上の横幅の枕を備え、
仰臥位から左右の側臥位にかけて使用者の頭が載せられる枕の表面を、ほぼ平坦面としたことを特徴とする請求項１に記載の仰側臥位対応ベッド。
【請求項３】
頭を枕に載せた側臥位の使用者の頭頸部中心軸と胴部中心軸を前記臥床面に平行な直線状に沿って連続させるように、バネ定数を調整したスプリングユニットを、左右各列部の上部サイド領域と下部サイド領域に収容することを特徴とする請求項２に記載の仰側臥位対応ベッド。
【請求項４】
ベッド本体の周縁に沿った外枠部の内側にユニット収容凹部が形成され、
外枠部の上方の開口部内に枕を昇降する昇降装置を配設したことを特徴とする請求項１乃至請求項３のいずれか１項に記載の仰側臥位対応ベッド。
【請求項５】
ユニット収容凹部の前記各領域毎に、バネ定数が異なる少なくとも２以上のスプリングユニットから、調整するバネ定数に近似するバネ定数のスプリングユニットを選択し、当該領域に収容することを特徴とする請求項１乃至請求項４のいずれか１項に記載の仰側臥位対応ベッド。
【請求項６】
睡眠中の使用者を支持するベッド本体に多数のスプリングユニットをそれぞれ交換自在に収容するユニット収容凹部を形成し、ユニット収容凹部に仮想設定する各領域に使用者の身体的特徴に合わせた弾力性のスプリングユニットを収容し、ベッド本体の各部の鉛直方向の沈み込み量を調整するベッドであって、
仰臥位の使用者が位置する中央列部の中央領域と、前記中央列部の左右両側で側臥位の使用者が位置する左列部の左サイド領域と右列部の右サイド領域を少なくとも含む大きさのユニット収容凹部が形成されたベッド本体を備え、
前記中央領域の仰臥位の使用者の背部が位置する上部中央領域と、臀部が位置する下部中央領域とに、仰臥位の使用者の胴部中心軸が前記ベッド本体の平面である臥床面に平行となるように、弾力性を調整した１または２以上のスプリングユニットを交換自在に収容するとともに、
前記左サイド領域と前記右サイド領域のそれぞれ側臥位の使用者の肩峰が位置する上部サイド領域と、大転子が位置する下部サイド領域とに、側臥位の使用者の胴部中心軸が前記臥床面に平行となるように、弾力性を調整した１または２以上のスプリングユニットを交換自在に収容することを特徴とする仰側臥位対応ベッド。
【請求項７】
中央列部の上方に配置され、仰臥位の使用者の頭頸部中心軸と胴部中心軸との傾斜角をほぼ１５度とする高さで、少なくとも左右各列部間の幅以上の横幅の枕を備え、
仰臥位から左右の側臥位にかけて使用者の頭が載せられる枕の表面を、ほぼ平坦面としたことを特徴とする請求項６に記載の仰側臥位対応ベッド。
【請求項８】
頭を枕に載せた側臥位の使用者の頭頸部中心軸と胴部中心軸を前記臥床面に平行な直線状に沿って連続させるように、弾力性を調整したスプリングユニットを、左右各列部の上部サイド領域と下部サイド領域に収容することを特徴とする請求項７に記載の仰側臥位対応ベッド。
【請求項９】
ベッド本体の周縁に沿った外枠部の内側にユニット収容凹部が形成され、
外枠部の上方の開口部内に枕を昇降する昇降装置を配設したことを特徴とする請求項６乃至請求項８のいずれか１項に記載の仰側臥位対応ベッド。
【請求項１０】
ユニット収容凹部の前記各領域毎に、弾力性が異なる少なくとも２以上のスプリングユニットから、調整する弾力性に近似する弾力性のスプリングユニットを選択し、当該領域に収容することを特徴とする請求項６乃至請求項９のいずれか１項に記載の仰側臥位対応ベッド。
【請求項１１】
ユニット収容凹部の前記各領域毎に、左右方向幅が異なる少なくとも２以上のスプリングユニットから、前記各領域の左右方向幅に一致するスプリングユニットを選択し、当該領域に収容することを特徴とする請求項１乃至請求項１０のいずれか１項に記載の仰側臥位対応ベッド。
【請求項１２】
ベッド本体の表面全体を、使用者がベッド本体から受ける体圧を分散する保護パッドで覆うことを特徴とする請求項１乃至請求項１１のいずれか１項に記載の仰側臥位対応ベッド。
【発明の詳細な説明】
【技術分野】
【０００１】
本発明は、使用者の身体的特徴に合わせて仰臥位と側臥位のいずれにおいても至適睡眠姿勢を維持する仰側臥位対応ベッドに関し、更に詳しくは、仰臥位と側臥位の間のスムーズな寝返りを実現する仰側臥位対応ベッドに関する。
【背景技術】
【０００２】
従来、快適な睡眠姿勢を維持して好適な入眠、安眠状態を得るために、ベッドの各部の弾性を異ならせた種々の寝具が提案されていて、例えば、コイルスプリングを直方体状の袋に配列した複数のスプリングユニットを、ベッドのユニット収容空間内に収容自在とし、使用者の好みや身体的特徴に合わせてバネ定数の異なるスプリングユニットをユニット収容空間へ収容し、ベッドの各部の弾性を異ならせたベッドが知られている（特許文献１、特許文献２）
【０００３】
また、仰臥位に比べて側臥位では、使用者の下側になった肩峰や臀部が突出するので、側臥位で肩峰と腕が当たる左右側方のポケットＡの部分を柔軟性材料で覆う側仰臥位対応の敷き布団（特許文献３）や、側臥位で肩峰と臀部に対応するベッドの中央の部位の柔らかさと沈み込み量を他の部位に比べて大きくして、側臥位での肩峰や臀部の圧迫感を除く仰側臥位対応マットレス（特許文献４）が知られている。
【０００４】
しかしながら、上述の従来の各寝具は、仰臥位や側臥位での静的睡眠姿勢を改善するものであり、その間の寝返りやすさについての動的睡眠姿勢について考慮されていない。そこで、本願の出願人は、仰臥位と側臥位の間でスムーズな寝返りがうてるように、使用者の身体的特徴に合わせてまくらの高さを調整したまくらの高さの調整方法を提案し、特許している（特許文献５）。
【先行技術文献】
【特許文献】
【０００５】
【特許文献１】特許第５２２７２４３号公報
【特許文献２】特許平１１−５６５３６号公報
【特許文献３】特許第３６０５３３４号公報
【特許文献４】特許第４５１７２４１号公報
【特許文献５】特許第４０２４１５２号公報
【発明の概要】
【発明が解決しようとする課題】
【０００６】
特許文献１、特許文献２のベッドによれば、使用者の好みや気分に合わせてベッドの各部の感触や使用感を調整できるが、寝る前の覚醒中の一時的な好みと、就寝中に至適睡眠姿勢が得られる各部の沈み込み量とは必ずしも一致せず、十分な安眠効果が得られない。例えば、好みに応じてベッドの一部の弾性を好みで過度に固くして沈み込み量を小さく調整すると、局部的に体圧が変化してしまうことがあり、その結果としてその部分で阻血が生じたり、神経の圧迫や脊椎骨盤の姿勢の異常がおこり、腰痛などの原因になる。
【０００７】
また、仰臥位や側臥位のそれぞれにベッドの各部を快適な沈み込み量に調製したとしても、寝返りのし易さを考慮しないと、同一姿勢で長時間寝続けることで、リンパ液や血液の循環が滞って睡眠中に違和感が生じ、快適な睡眠が得られない。
【０００８】
特許文献３に記載の側仰臥位対応の敷き布団は、側臥位で肩峰が当たるポケットＡの部位を沈み込ませているが、側臥位で大転子が当たる部分は沈み込まないので、大転子がじゃまして仰臥位から側臥位へスムーズな寝返りを行うことができず、寝返りを行ったとしても大転子が高くなり体幹が臥床面に平行にならない不自然な睡眠姿勢となる。
【０００９】
また、使用者によっては、側臥位で肩峰が必ずしもポケットＡの位置とならず、更に、背骨が湾曲が著しい使用者に合わせて枕を高く調整してある場合には、むしろポケットＡの位置で肩峰が沈まない方が、側臥位での体幹が臥床面に平行となり、必ずしも使用者の身体的な特徴に応じて調製することができない。
【００１０】
特許文献４に記載の仰側臥位対応マットレスは、ベッドの中央列上で使用者の体幹の軸周りで側臥位と仰臥位の寝返りを行うこととして、中央列上で肩峰や臀部が当たる領域に凹溝を設けて沈み込み量を大きくしているが、実際の寝返りは、体幹を水平としたまま臥床面を左右に転がるので、側臥位で肩峰や臀部が当たる位置は、中央列の外側の沈み込まない部位にあり、側臥位で肩峰や臀部が高くなり体幹が臥床面に平行にならない不自然な睡眠姿勢となる。
【００１１】
また、仰臥位で体が当たる中央列の領域で凹溝を設けて左右のその周囲より沈み込み量を大きくしているので、仰臥位から側臥位に移行する寝返りを行うために身体が生み出す回転力（以下、寝返り抵抗という）が大きく、結局深く沈み込んだ中央列内で腰や肩を何度も浮かせてずらせながら寝返りを行うことになり、睡眠の中途覚醒、筋肉を使用することによる疲労が生じていた。
【００１２】
このように特許文献１乃至４に記載されている従来の寝具は、仰臥位や側臥位での静的睡眠姿勢のみを改善するものであるが、これは、ノンレム睡眠の途中で脳波から覚醒がみられるのが寝返りを行ったときであり、寝返りが深い睡眠の妨げになると考えられていたからである。しかしながら、寝返りを考慮せずに静的睡眠姿勢を改善した従来の寝具では、同じ睡眠姿勢を長時間継続してしまう可能性が高く、その結果、体圧が集中する部分でリンパ液や血液の循環が滞るので、却って快適な睡眠を損なうという問題があった。
【００１３】
特許文献５によれば、仰臥位と側臥位の間で頭が転がる枕の高さを調製して寝返りやすくしているが、寝返りは主として身体の胴部が全体のベッド上の移動であるので、枕の高さの調整のみではスムーズな寝返りを実現するには十分ではない。
【００１４】
本発明は、このような従来の問題点を考慮してなされたものであり、使用者の身体的な特徴に応じて仰臥位と側臥位での至適睡眠姿勢が得られるとともに、睡眠の妨げとならない仰臥位と側臥位の間のスムーズな寝返りを実現する仰側臥位対応ベッドを提供することを目的とする。
【００１５】
また、仰臥位と側臥位のいずれの睡眠姿勢でも、脊椎への負担がなく、仰臥位と側臥位の間のスムーズな寝返りを実現する仰側臥位対応ベッドを提供することを目的とする。
【課題を解決するための手段】
【００１６】
上述の目的を達成するため、請求項１に記載の仰側臥位対応ベッドは、 睡眠中の使用者を支持するベッド本体に多数のスプリングユニットをそれぞれ交換自在に収容するユニット収容凹部を形成し、ユニット収容凹部の各領域に使用者の身体的特徴に合わせて調整したバネ定数のスプリングユニットを収容し、ベッド本体の各部の鉛直方向の沈み込み量を調整するベッドであって、仰臥位の使用者が位置する中央列部の中央領域と、中央列部の左右両側で側臥位の使用者が位置する左列部の左サイド領域と右列部の右サイド領域を少なくとも含む大きさのユニット収容凹部が形成されたベッド本体を備え、中央領域の仰臥位の使用者の背部が位置する上部中央領域と、臀部が位置する下部中央領域とに、仰臥位の使用者の胴部中心軸がベッド本体の平面である臥床面に平行となるように、バネ定数を調整した１または２以上のスプリングユニットを交換自在に収容するとともに、左サイド領域と右サイド領域のそれぞれ側臥位の使用者の肩峰が位置する上部サイド領域と、大転子が位置する下部サイド領域とに、側臥位の使用者の胴部中心軸が臥床面に平行となるように、バネ定数を調整した１または２以上のスプリングユニットを交換自在に収容することを特徴とする。
【００１７】
使用者の左右側臥位の睡眠位置は、仰臥位の睡眠位置であるベッド本体の中央列部と異なる中央列部の両側の左列部と右列部であるので、仰臥位と左右側臥位の睡眠姿勢に応じて調整する最適なバネ定数のスプリングユニットで使用者を支持できる。
【００１８】
仰臥位の使用者の背部は、第７胸椎の背側付近、臀部は、仙骨の背側付近であり、それぞれ上部中央領域と下部中央領域に収容されるスプリングユニットに支持される。仰臥位の使用者の胴部中心軸は、使用者の身体的特徴に合わせて調整したバネ定数のスプリングユニットを上部中央領域と下部中央領域に収容して仰臥位の使用者の背部と臀部を支持することにより、臥床面に平行になる。また、左右両側臥位の使用者の胴部中心軸は、使用者の身体的特徴に合わせて調整したバネ定数のスプリングユニットを左右各列部の上部サイド領域と下部サイド領域に収容して側臥位の使用者の肩峰と大転子を支持することにより、臥床面に平行になる。
【００１９】
胴部中心軸とは、体表面によって規定される胴体内部にある力学的な回転の中心軸であり、胸骨柄と第７頸椎棘突起との中点である胸部中心Ｂと、上前腸骨棘左右と上後腸骨棘左右の４点を結ぶ四辺形の対角線の交点である骨盤中心Ｃとを結ぶ直線である。仰臥位と左右両側臥位のいずれの睡眠姿勢でも使用者の胴部中心軸が臥床面に平行となるので、相互の移動間の寝返り抵抗が少なく、スムーズな寝返りが実現される。
【００２０】
請求項２に記載の仰側臥位対応ベッドは、中央列部の上方に配置され、仰臥位の使用者の頭頸部中心軸と胴部中心軸との傾斜角をほぼ１５度とする高さで、少なくとも左右各列部間の幅以上の横幅の枕を備え、仰臥位から左右の側臥位にかけて使用者の頭が載せられる枕の表面を、ほぼ平坦面としたことを特徴とする。
【００２１】
頭頸部中心軸とは、頭から胴部に至る体表面によって規定される頭頸部内部にある力学的な回転中心軸であり、前頭部左右を結ぶ直線と後頭部の左右を結ぶ直線の交点である頭部中心Ａと、胸部中心Ｂとを結ぶ直線である。仰臥位の使用者が枕に頭を載せて、頭頸部中心軸と胴部中心軸との傾斜角がほぼ１５度になると、頸椎にある頸神経の出口が最も開き、仰臥位で使用者の頸神経が圧迫されず、血液の循環が良くなる。
【００２２】
仰臥位から左右の側臥位にかけて使用者の頭が載せられる枕の表面がほぼ平坦面であるので、寝返りの際に枕の表面を使用者の頭が抵抗なく転動する。
【００２３】
請求項３に記載の仰側臥位対応ベッドは、頭を枕に載せた側臥位の使用者の頭頸部中心軸と胴部中心軸を臥床面に平行な直線状に沿って連続させるように、バネ定数を調整したスプリングユニットを、左右各列部の上部サイド領域と下部サイド領域に収容することを特徴とする。
【００２４】
使用者の身体的特徴に合わせて調整したバネ定数のスプリングユニットを左右各列部の上部サイド領域と下部サイド領域に収容して側臥位の使用者の肩峰と大転子を支持することにより、左右両側臥位の使用者の頭頸部中心軸と胴部中心軸が臥床面に平行な直線状に沿って連続するので、使用者の頭頸部と胴部を同時に転動しやすい。
【００２５】
請求項４に記載の仰側臥位対応ベッドは、ベッド本体の周縁に沿った外枠部の内側にユニット収容凹部が形成され、外枠部の上方の開口部内に枕を昇降する昇降装置を配設したことを特徴とする。
【００２６】
所定高さの昇降装置が外枠部の開口部内に配設されるので、昇降装置の高さを除いてベッド本体の平面上の枕の高さを調整できる。
【００２７】
請求項５に記載の仰側臥位対応ベッドは、ユニット収容凹部の前記各領域毎に、バネ定数が異なる少なくとも２以上のスプリングユニットから、調整するバネ定数に近似するバネ定数のスプリングユニットを選択し、当該領域に収容することを特徴とする。
【００２８】
バネ定数が異なる少なくとも２以上のスプリングユニットからいずれかのスプリングユニットを選択するだけで、使用者の身体的特徴に応じてバネ定数を調整したスプリングユニットを各領域に収容できる。
【００２９】
請求項６に記載の行側臥位対応ベッドは、睡眠中の使用者を支持するベッド本体に多数のスプリングユニットをそれぞれ交換自在に収容するユニット収容凹部を形成し、ユニット収容凹部に仮想設定する各領域に使用者の身体的特徴に合わせた弾力性のスプリングユニットを収容し、ベッド本体の各部の鉛直方向の沈み込み量を調整するベッドであって、仰臥位の使用者が位置する中央列部の中央領域と、中央列部の左右両側で側臥位の使用者が位置する左列部の左サイド領域と右列部の右サイド領域を少なくとも含む大きさのユニット収容凹部が形成されたベッド本体を備え、中央領域の仰臥位の使用者の背部が位置する上部中央領域と、臀部が位置する下部中央領域とに、仰臥位の使用者の胴部中心軸がベッド本体の平面である臥床面に平行となるように、弾力性を調整した１または２以上のスプリングユニットを交換自在に収容するとともに、左サイド領域と右サイド領域のそれぞれ側臥位の使用者の肩峰が位置する上部サイド領域と、大転子が位置する下部サイド領域とに、側臥位の使用者の胴部中心軸が臥床面に平行となるように、弾力性を調整した１または２以上のスプリングユニットを交換自在に収容することを特徴とする。
【００３０】
使用者の左右側臥位の睡眠位置は、仰臥位の睡眠位置であるベッド本体の中央列部と異なる中央列部の両側の左列部と右列部であるので、仰臥位と左右側臥位の睡眠姿勢に応じて調整する最適な弾力性のスプリングユニットで使用者を支持できる。
【００３１】
仰臥位の使用者の背部は、第７胸椎の背側付近、臀部は、仙骨の背側付近であり、それぞれ上部中央領域と下部中央領域に収容されるスプリングユニットに支持される。仰臥位の使用者の胴部中心軸は、使用者の身体的特徴に合わせて調整した弾力性のスプリングユニットを上部中央領域と下部中央領域に収容して仰臥位の使用者の背部と臀部を支持することにより、臥床面に平行になる。また、左右両側臥位の使用者の胴部中心軸は、使用者の身体的特徴に合わせて調整した弾力性のスプリングユニットを左右各列部の上部サイド領域と下部サイド領域に収容して側臥位の使用者の肩峰と大転子を支持することにより、臥床面に平行になる。
【００３２】
胴部中心軸とは、体表面によって規定される胴体内部にある力学的な回転の中心軸であり、胸骨柄と第７頸椎棘突起との中点である胸部中心Ｂと、上前腸骨棘左右と上後腸骨棘左右の４点を結ぶ四辺形の対角線の交点である骨盤中心Ｃとを結ぶ直線である。仰臥位と左右両側臥位のいずれの睡眠姿勢でも使用者の胴部中心軸が臥床面に平行となるので、相互の移動間の寝返り抵抗が少なく、スムーズな寝返りが実現される。
【００３３】
請求項７に記載の行側臥位対応ベッドは、中央列部の上方に配置され、仰臥位の使用者の頭頸部中心軸と胴部中心軸との傾斜角をほぼ１５度とする高さで、少なくとも左右各列部間の幅以上の横幅の枕を備え、仰臥位から左右の側臥位にかけて使用者の頭が載せられる枕の表面を、ほぼ平坦面としたことを特徴とする。
【００３４】
頭頸部中心軸とは、頭から胴部に至る体表面によって規定される頭頸部内部にある力学的な回転中心軸であり、前頭部左右を結ぶ直線と後頭部の左右を結ぶ直線の交点である頭部中心Ａと、胸部中心Ｂとを結ぶ直線である。仰臥位の使用者が枕に頭を載せて、頭頸部中心軸と胴部中心軸との傾斜角がほぼ１５度になると、頸椎にある頸神経の出口が最も開き、仰臥位で使用者の頸神経が圧迫されず、血液の循環が良くなる。
【００３５】
仰臥位から左右の側臥位にかけて使用者の頭が載せられる枕の表面がほぼ平坦面であるので、寝返りの際に枕の表面を使用者の頭が抵抗なく転動する。
【００３６】
請求項８に記載の仰側臥位対応ベッドは、頭を枕に載せた側臥位の使用者の頭頸部中心軸と胴部中心軸を臥床面に平行な直線状に沿って連続させるように、弾力性を調整したスプリングユニットを、左右各列部の上部サイド領域と下部サイド領域に収容することを特徴とする。
【００３７】
使用者の身体的特徴に合わせて調整した弾力性のスプリングユニットを左右各列部の上部サイド領域と下部サイド領域に収容して側臥位の使用者の肩峰と大転子を支持することにより、左右両側臥位の使用者の頭頸部中心軸と胴部中心軸が臥床面に平行な直線状に沿って連続するので、使用者の頭頸部と胴部を同時に転動しやすい。
【００３８】
請求項９に記載の仰側臥位対応ベッドは、ベッド本体の周縁に沿った外枠部の内側にユニット収容凹部が形成され、外枠部の上方の開口部内に枕を昇降する昇降装置を配設したことを特徴とする。
【００３９】
所定高さの昇降装置が外枠部の開口部内に配設されるので、昇降装置の高さを除いてベッド本体の平面上の枕の高さを調整できる。
【００４０】
請求項１０に記載の仰側臥位対応ベッドは、ユニット収容凹部の各領域毎に、弾力性が異なる少なくとも２以上のスプリングユニットから、調整する弾力性に近似する弾力性のスプリングユニットを選択し、当該領域に収容することを特徴とする。
【００４１】
弾力性が異なる少なくとも２以上のスプリングユニットからいずれかのスプリングユニットを選択するだけで、使用者の身体的特徴に応じて弾力性を調整したスプリングユニットを各領域に収容できる。
【００４２】
請求項１１に記載の仰側臥位対応ベッドは、ユニット収容凹部の各領域毎に、左右方向幅が異なる少なくとも２以上のスプリングユニットから、各領域の左右方向幅に一致するスプリングユニットを選択し、当該領域に収容することを特徴とする。
【００４３】
左右方向幅が異なる２以上のスプリングユニットからいずれかのスプリングユニットを選択するだけで、使用者の身体的特徴により各領域の左右方向幅が変化してもその領域と同幅のスプリングユニットを収容できる。
【００４４】
請求項１２に記載の仰側臥位対応ベッドは、ベッド本体の表面全体を、使用者がベッド本体から受ける体圧を分散する保護パッドで覆うことを特徴とする。
【００４５】
バネ定数や弾力性が異なるスプリングユニットの境界で変化する体圧は、保護パッドで境界が覆われることにより緩和され、境界から違和感を受けたり、寝返り動作の障害とならない。
【発明の効果】
【００４６】
請求項１又は請求項６の発明によれば、使用者の身体的特徴により仰臥位と左右側臥位で異なるベッド本体上の身体各部の凹凸に応じて、最適なバネ定数や弾力性のスプリングユニットを配置してベッド本体への沈み込み量とすることができる。
【００４７】
また、使用者の身体的特徴にかかわらず、すべての使用者の仰臥位と側臥位の静的睡眠姿勢を、背骨が過度に屈曲せずに、胴部中心軸が臥床面に平行となる至適睡眠姿勢とすることできる。
【００４８】
また、使用者の身体的特徴にかかわらず、すべての使用者の仰臥位と側臥位間の寝返り抵抗が減少し、そのため寝返り時の疲労が少なく、中途覚醒も少なくなる。更に、一晩の睡眠中のスムーズな寝返りによって、血液、リンパ液、関節液が循環し、体温調節や新陳代謝が促される。
【００４９】
請求項２又は請求項７の発明によれば、仰臥位で使用者の頸椎に負担がかからず、肩こりや手足のしびれなどの頸神経の圧迫症状が回避される。
【００５０】
また、使用者の身体とともに頭も枕の表面を円滑に転動するので、身体と頭が同期したスムーズな寝返りが実現される。
【００５１】
請求項３又は請求項８の発明によれば、側臥位の睡眠姿勢で、頭頸部中心軸が胴部中心軸に対して傾斜しないので、頸椎に圧迫が生じない。
【００５２】
また、頭頸部中心軸と胴部中心軸が臥床面に平行で直線状に連続するので、頭と胴部を同期させて回転させることが容易になり、頭を含む身体全体のスムーズな寝返りが実現される。
【００５３】
請求項４又は請求項９の発明によれば、使用者が自力で頭を持ち上げたり降ろしたりして枕を交換することなく、枕の高さを調整できる。
【００５４】
また、昇降装置の高さに制約されずに、使用者の身体的特徴に合わせて枕の高さを調整できる。
【００５５】
請求項５又は請求項１０の発明によれば、各領域へ収容するスプリングユニットのバネ定数や弾力性を個別に調整することなく、２以上のあらかじめ用意するスプリングユニットから選択するだけで、使用者の身体的特徴に応じて調整されたバネ定数や弾力性のスプリングユニットを各領域へ収容できる。
【００５６】
請求項１１の発明によれば、使用者の身体的特徴により中央列部の左右幅が異なっても、側臥位の使用者の肩峰と大転子を、上部サイド領域と下部サイド領域に収容されるスプリングユニットで確実に支持し、側臥位の使用者の胴部中心軸を臥床面に平行な直線状とすることができる。
【００５７】
請求項１２の発明によれば、臥床面に急激に体圧が変化する部分がなくなり、神経が圧迫されたり、身体の表面に部分的な負担がかからず、寝返り抵抗が大きく変化しない。
【図面の簡単な説明】
【００５８】
【図１】本願発明の一実施の形態に係る仰側臥位対応ベッド１の分解斜視図である。
【図２】外枠部２内にユニット収容凹部３が形成されたベッド本体４の斜視図である。
【図３】ユニット収容凹部３にスプリングユニット５を収容する状態を示す斜視図である。
【図４】ベッド本体４に枕６を載せる状態を示す斜視図である。
【図５】使用者の仰臥位と側臥位での睡眠姿勢とユニット収容凹部３上の位置との関係を示す平面図である。
【図６】枕６に頭部を載せた使用者の仰臥位と側臥位での身体各部とユニット収容凹部３上の位置との関係を計測した計測結果を示す説明図である。
【図７】ユニット収容凹部３の各領域Ａｉｊと同領域に収容されたスプリングユニット５ｉｊで支持される使用者の身体各部との関係を示し、（ａ）は、上部中央領域Ａ１２及び下部中央領域Ａ２２に収容されるスプリングユニット５１２、５２２と、仰臥位の使用者の身体各部との関係を、（ｂ）は、上部サイド領域（Ａ１１）及び下部サイド領域（Ａ２１）に収容されるスプリングユニット５１１、５２１と、側臥位の使用者の身体各部との関係を、それぞれ示す側面図である。
【図８】仰側臥位対応ベッド１の上で、（ａ）は、仰臥位から左側の側臥位に寝返りを行う使用者を、（ｂ）は、仰臥位から右側の側臥位に寝返りを行う使用者を、それぞれ上方から見た説明図である。
【図９】仰側臥位対応ベッド１上で仰臥位の睡眠姿勢で睡眠する使用者を右方から見て、頭頸部中心軸ＨＴと胴部中心軸ＢＴを説明する説明図である。
【図１０】仰側臥位対応ベッド１上で右側臥位の睡眠姿勢で睡眠する使用者を右方から見た説明図である。
【図１１】（ａ）乃至（ｄ）は、使用者の身体的特徴に応じて異なるバネ定数のスプリングユニット５からいずれかのスプリングユニット５を選択してユニット収容凹部３の各領域Ａへ収容する各例を示す平面図である。
【図１２】本願発明の他の実施の形態に係る仰側臥位対応ベッド２０のベッド本体２１に枕６と昇降装置２２を取り付ける状態を示す斜視図である。
【図１３】仰側臥位対応ベッド２０の分解斜視図である。
【図１４】本願発明の更に他の実施の形態に係る仰側臥位対応ベッド３０のユニット収容凹部３にスプリングユニット５１１’、５２１’を収容する状態を示す斜視図である。
【発明を実施するための形態】
【００５９】
本発明の一実施の形態に係る仰側臥位対応ベッド１を、図１乃至図１１を用いて、図１に示す各方向を上下左右方向として説明する。この仰側臥位対応ベッド１は、図１に示すように、外周が長方形のベッドケース７と、ベッドケース７の内壁面に沿って取り付けられる外枠部２と、外枠部２の内側のユニット収容凹部３に収容される多数のスプリングユニット５とからなるベッド本体４を備え、ユニット収容凹部３に仮想設定される各領域Ａに収容するスプリングユニット５のバネ定数を使用者の身体的特徴に合わせて調整し、これにより外枠部２の平面と各領域Ａに収容するスプリングユニット５の各平面で構成される臥床面の各領域Ａ毎の沈み込み量を、使用者の仰臥位及び側臥位の睡眠姿勢が至適睡眠姿勢となるように調整するものである。本実施の形態では、各領域Ａに収容するスプリングユニット５のバネ定数の調整は、各領域Ａ毎に多数の異なるバネ定数のスプリングユニット５を用意しておき、調整するバネ定数に近いいずれかのスプリングユニット５を選択することにより行っている。
【００６０】
各領域Ａにそれぞれスプリングユニット５を収容したユニット収容凹部３の上方の外枠部２には、図４に示すように、睡眠姿勢の使用者が頭を乗せる枕６が配置され、また、枕６を除くベッド本体４の平面全体は、保護パッド８で覆われる。
【００６１】
使用者が枕６に頭を乗せた自然な睡眠姿勢は、概ね図５に示すように、仰臥位と左右の側臥位に限られる。ここで、仰臥位と側臥位の使用者の睡眠姿勢を主として支配するのは、仰臥位と側臥位のそれぞれで臥床面の方向に突出する身体の部分とベッド本体４の平面である臥床面との当接位置であり、仰臥位では矢状面、側臥位では冠状面の形状で定まる。
【００６２】
仰臥位では矢状面の形状については、人間の骨格の構造上、身体の前後方向は柔軟で、仰臥位ではベッド本体４の弾性の影響を受けるとともに、ベッド本体４内の沈み込みは目視判定ができないことから、ベッド本体４に接する背面形状を厳密に判定することは困難であるが、立位に対して仰臥位は胸椎後弯角が減少するものの一定の相関があると考えられ、仰臥位では、図７（ａ）に示すように、立位から推定する第７胸椎（ＴＨ７）の背側付近の背部と仙骨の背側付近の臀部がベッド本体４側に突出し、仰臥位での睡眠姿勢を支配する当接位置と推定できる。
【００６３】
一方、側臥位では、骨格がベッド本体４の弾性の影響を受けず、冠状面の形状が立位から大きく変化しないことから、図７（ｂ）に示すように、立位から推定する肩峰と大転子がベッド本体４側に突出し、側臥位での睡眠姿勢を支配する当接位置であると判断できる。
【００６４】
これらの仰臥位での背部及び臀部と、側臥位での肩峰及び大転子のベッド本体４上の位置について、本発明者らは、成人である２３人の被験者の仰臥位と左右の側臥位の身体位置を計測した。図６は、その計測結果をベッド本体４上に表示して示すもので、多数の人の同じ身体の部位が集中するほどその位置の濃度が濃くなるように表示されている。その結果、仰臥位と側臥位の各使用者の身体の部位は、それぞれ使用者が成人であれば、年齢、性別に限らず、ベッド本体４の概ね同一領域に集中することが確認された。
【００６５】
そこで、図６の計測結果をもとに、本実施の形態にかかるユニット収容凹部３の輪郭を図中に長方形枠で表し、全ての被験者の仰臥位での背部及び臀部と、側臥位での肩峰及び大転子がユニット収容凹部３内のそれぞれ別の領域Ａに位置するように、ユニット収容凹部３の大きさに合わせて格子状の直線で区分される３行３列の領域Ａｉｊ（ｉ、ｊは１から始まる自然数）とその下方に足部領域Ａｆを設定した。
【００６６】
その結果、同図に示すように、仰臥位でベッド本体４に主として支持される被験者の胴部は、第２列目の中央列部（Ａｉ２）に位置し、背部（ＴＨ７）と臀部（仙骨）は、それぞれ中央列部の領域Ａ１２（上部中央領域）と領域Ａ２２（下部中央領域）内に集中する。また、側臥位で被験者の胴部は、第１列目の右列部（Ａｉ１）と第３列目の左列部（Ａｉ３）に位置し、左右の肩峰と大転子は、それぞれ左右列部の領域Ａ１１、Ａ１３（上部サイド領域）と領域Ａ２１、Ａ２３（下部サイド領域）内に集中する。
【００６７】
本実施の形態では、図６に示す計測結果から設定した各領域Ａｉｊと足部領域Ａｆを、同一縮尺で本実施の形態に係るベッド本体４のユニット収容凹部３内に仮想設定する（図２の破線参照）。図６に示す計測結果から設定した３行３列の各領域Ａｉｊの大きさは同一であり、ユニット収容凹部３の横幅は８７０ｍｍであるので、各領域Ａｉｊの左右方向幅は２９０ｍｍとなっている。また、各領域Ａｉｊの上下方向幅は、ほぼ全ての使用者の仰臥位での背部と臀部と、左右の側臥位での肩峰と大転子とが、それぞれ同列で上下に隣接する異なる領域Ａｉｊに位置するように３５０ｍｍとなっている。また、ユニット収容凹部３の上下方向の幅を１５００ｍｍとしているので、３行３列の各領域Ａｉｊの下方のユニット収容凹部３の残る隙間に左右方向幅は２９０ｍｍ、上下方向幅が４５０ｍｍの足部領域Ａｆが仮想設定される。足部領域Ａｆは、後述するようにその領域Ａｆにスプリングユニット５ｆを収容するが、大面積の領域であるため更に３分割等、複数の領域に分割してもよい。
【００６８】
このようにユニット収容凹部３に仮想設定した各領域Ａｉｊと足部領域Ａｆに収容するスプリングユニット５のバネ定数を調整すれば、ベッド本体４に支持される使用者の各身体位置の沈み込み量を領域Ａｉｊと足部領域Ａｆの単位で調整でき、特に、仰臥位での睡眠姿勢を支配する背部と臀部と、側臥位での睡眠姿勢を支配する肩峰と大転子とが接するベッド本体４の沈み込み量を、後述するように使用者の身体的特徴に合わせて個別に調整できる。
【００６９】
しかしながら、使用者の仰臥位での背部と臀部と、左右の側臥位での肩峰と大転子とが異なる領域Ａに位置するものとすることができれば、仮想設定する各領域Ａの大きさや形状は、上記例に限らない。
【００７０】
領域Ａｉｊと足部領域Ａｆに収容するスプリングユニット５は、収容する領域Ａと平面形状を同一形状とした立方体状の袋体５ａ内に鉛直方向に伸縮する多数のコイルスプリングが並列に配置されて形成される。全てのスプリングユニット５は、ベッド本体４上の臥床面を同一面として連続させるために、袋体５ａへ収納した状態で同一の高さの１７０ｍｍであり、特に３行３列の各領域Ａｉｊが同一形状であることから、この領域Ａｉｊに収容されるスフリングユニット（以下、領域Ａｉｊに収容するスプリングユニットの符号を５ｉｊと記す）は、全て同一の立方体状の外形で、３行３列のいずれの領域Ａｉｊへも交換自在に収容できるようになっている。
【００７１】
更に、各領域Ａｉｊには、その領域Ａｉｊ毎に、互いにバネ定数の異なる８種類のスプリングユニット５ｉｊが用意され、そのうち、後述するように使用者の身体的特徴に合わせて選択されるバネ定数のスプリングユニット５ｉｊが当該領域Ａｉｊに収容される。スプリングユニット５のバネ定数は、スプリングユニット５の平面に均一な応力を発生させる押し下げ加重を加えて袋体５ａ内に収容される全てのコイルスプリングを圧縮した際の加重と平面の変位(沈み込み量)とから決定され、各コイルスプリングの線径や巻き数、コイル径を調整して、バネ定数を最小値から最大値までここでは８段階に調整した８種類のスプリングユニット５ｉｊが用意される。
【００７２】
８段階で異なるバネ定数のスプリングユニット５ｉｊから、仰臥位の睡眠姿勢を支配する背部と臀部を支持する領域Ａ１２、Ａ２２には、図３に示すように、仰臥位において至適睡眠姿勢とする最適なバネ定数のスプリングユニット５１２、５２２を選択して収容するとともに、側臥位の睡眠姿勢を支配する左右の肩峰と大転子を支持する領域Ａ１１、Ａ１３、Ａ２１、Ａ２３には、側臥位においても至適睡眠姿勢とする最適なバネ定数のスプリングユニット５１１、５１３、５２１、５２３を選択して収容する。
【００７３】
この至適睡眠姿勢には、上述の仰臥位若しくは側臥位における静的な睡眠姿勢に限らず、仰臥位若しくは側臥位で停滞することによるリンパ液や血液の循環が滞りを防ぐために、仰臥位と側臥位の間でのスムーズな寝返りを実現する動的睡眠姿勢を考慮する必要がある。本願発明者は、多数の被験者の寝返り動作を解析した結果、身体の胴部では、図９に示すように、体表面によって規定される胴体内部にある力学的な回転の中心軸であり、胸骨柄と第７頸椎棘突起との中点である胸部中心Ｂと、上前腸骨棘左右と上後腸骨棘左右の４点を結ぶ四辺形の対角線の交点である骨盤中心Ｃとを結ぶ直線で定義される胴部中心軸ＢＴが、仰臥位と側臥位のいずれでも臥床面（ベッド本体４の平面）に対して平行である場合に、スムーズな寝返りが行われることを見い出した。
【００７４】
仮に仰臥位若しくは側臥位において、胴部中心軸ＢＴが臥床面に対して傾斜していたり、臥床面側に大きくくの字状に折れ曲がっていると、寝返りの支点がなくなり、胴部の一部が沈み込むことになるので、寝返り抵抗が大きく、スムーズな寝返りを行うことができない。
【００７５】
つまり、本発明者は、図９、図１０に示す仰臥位と側臥位のそれぞれで使用者の胴部中心軸ＢＴが臥床面（ベッド本体４の平面）に対して平行であることが、静的に至適睡眠姿勢であるとともに、使用者の胴部中心軸ＢＴが臥床面に対して平行にある仰臥位と側臥位間の寝返りにおいて胴部中心軸ＢＴが臥床面に対して平行な状態で左右に移動するだけなので、寝返り抵抗が最も少なく、無意識に寝返りを行うことができる動的な至適睡眠姿勢であると考えるに至った。
【００７６】
そこで、仰臥位では、使用者の身体的特徴に合わせて、図９に示すように、使用者の胴部中心軸ＢＴがベッド本体４の平面（臥床面）に平行となるように、背部と臀部の沈み込み量が調整されるバネ定数のスプリングユニット５１２とスプリングユニット５２２を選択して、それぞれ領域Ａ１２と領域Ａ２２に収容する。
【００７７】
仰臥位で使用者の胴部中心軸ＢＴを平面（臥床面）に平行とする調整は、使用者の背中側がベッド本体に隠れ、胸部中心Ｂと骨盤中心Ｃを直接目視確認できないので、立位の状態での胸部中心Ｂと骨盤中心Ｃを求め、求めた胸部中心Ｂと骨盤中心Ｃからそれぞれ矢状面に対して直交する方向（図９で紙面に直交する方向）の身体の側部の体表面にマーカーＢ’、マーカーＣ’をマーキングし、仰臥位の使用者のマーカーＢ’とマーカーＣ’を結ぶ直線を胴部中心軸ＢＴとみなし、ベッド本体４の平面に平行となるように調整する。
【００７８】
また、臥位では第７頸椎から臥床面に平行な第７頸椎水平線(Ｃ７ＨＬ)を基準線とし、仰臥位では胴部中心軸ＢＴは、この第７頸椎水平線との角度が減少するので、第７頸椎水平線に近似するとみなし、触診から得る第７頸椎から胸部中心Ｂを推定し、身体の臀部から推定する骨盤中心Ｃを結ぶ直線がベッド本体４の平面に平行となるように調整してもよい。
【００７９】
胴部中心軸ＢＴを平面（臥床面）に平行とする調整は、例えば、仰臥位で背部より臀部が突出する体格の使用者については、背部や臀部の筋肉の形状や重さ、柔軟性によっても異なるが、一般的にスプリングユニット５１２よりスプリングユニット５２２のバネ定数が低いスプリングユニット５１２、５２２を選択し、逆に仰臥位で臀部より背部が突出する体格の使用者については、スプリングユニット５１２よりスプリングユニット５２２のバネ定数が高いスプリングユニット５１２、５２２を選択する。
【００８０】
このとき、選択した一組のスプリングユニット５１２、５２２のバネ定数が高い（硬い）とスプリングユニット５１２、５２２から身体が受けるバネ圧（以下、体圧という）が背部と臀部の一部に集中し、不快感を与える原因となり、一方、選択した一組のスプリングユニット５１２、５２２のバネ定数が低い（柔らかい）と、背部と臀部での沈み込み量が大きくなり、寝返り抵抗が大きくなる。従って、使用者の胴部中心軸ＢＴをベッド本体４の平面に平行な直線状とするには、バネ定数が一定比率のスプリングユニット５１２とスプリングユニット５２２を選択すれば十分であるが、背部と臀部の中間の第４腰椎にスプリングユニット５との隙間があかない程度に一組のスプリングユニット５１２、５２２のバネ定数を調整するのが望ましい。
【００８１】
また、左右の側臥位においても、使用者の身体的特徴に合わせて、図１０に示すように使用者の胴部中心軸ＢＴがベッド本体４の平面に平行な直線状となるように、左右の肩峰と大転子の沈み込み量が調整されるバネ定数のスプリングユニット５１１、５１３とスプリングユニット５２１、５２３を選択して、それぞれ領域Ａ１１、Ａ１３と領域Ａ２１、Ａ２３に収容する。
【００８２】
上述の通り、人間の骨格の構造上、身体の矢状面に沿った前後方向は柔軟であるが、冠状面に沿った方向は比較的硬く、側臥位でベッド本体４からの弾性による影響はあまり受けないので、立位の状態で求める胸部中心Ｂと骨盤中心Ｃからそれぞれ冠状面に対して直交する方向（図１０で紙面に直交する方向）の身体の体表面にマーキングしたマーカーＢ’’、マーカーＣ’’の仰臥位での高さは、ほぼ正確に胸部中心Ｂと骨盤中心Ｃの高さを表す。そこで、側臥位での使用者の胴部中心軸ＢＴを平面（臥床面）に平行とする調整は、側臥位の使用者のマーカーＢ’’とマーカーＣ’’を結ぶ直線を胴部中心軸ＢＴとみなし、ベッド本体４の平面に平行となるように調整する。
【００８３】
例えば、右側臥位で右肩峰より右大転子が突出する体格の使用者については、肩峰や大転子の形状や重さ、柔軟性によっても異なるが、一般的にスプリングユニット５１１よりスプリングユニット５２１のバネ定数が低い一組のスプリングユニット５１１、５２１を選択し、逆に右側臥位で右大転子より右肩峰が突出する体格の使用者については、スプリングユニット５１１よりスプリングユニット５２１のバネ定数が高い一組のスプリングユニット５１１、５２１を選択する。
【００８４】
仰臥位と側臥位の睡眠姿勢に比較的影響しない３行目の領域Ａ３ｊと足部領域Ａｆには、一定のバネ定数のスプリングユニット５３ｊ、５ｆが収容される。これらのスプリングユニット５３ｊ、５ｆのバネ定数は、任意に設定できるが、隣接する２行目の領域Ａ２ｊに収容するスプリングユニット５２ｊのバネ定数や隣接するスプリングユニット５３ｊ、５ｆ間相互のバネ定数は、その境界で体圧が急激に変化するので、隣接するスプリングユニット５ｉｊの８段階に調整するバネ定数は比較的接近した値とするのが好ましい。
【００８５】
一方、起きる際に足の支えとしない３行目の左右列部の領域Ａ３１、Ａ３３に収容されるスプリングユニット５３１、５３３のバネ定数は、睡眠姿勢にほぼ影響しないので、その調整に制約がなく、３行３列のいずれの領域Ａｉｊへも相互のスプリングユニット５ｉｊを交換自在に収容できるようになっていることを利用して、各領域Ａ１２、Ａ２２、Ａ１１、Ａ１３、Ａ２１、Ａ２３に収容するスプリングユニット５１２、５２２、５１１、５１３、５２１、５２３のバネ定数と異なるバネ定数のスプリングユニット５ｉｊをスペアとして３行目の左右列部の領域Ａ３１、Ａ３３へ収容しておくこともできる。
【００８６】
同様に足部領域Ａｆの左右列部の下方も使用者が起きる際に足の支えとしない領域であるので、領域Ａｉｊと同じ大きさの領域を仮想設定して、スペアとするスプリングユニット５ｉｊを収容することもできる。このようにスペアを収容する領域を確保すれば、プリングユニット５１２、５２２、５１１、５１３、５２１、５２３のバネ定数を変更するための予備のスプリングユニット５ｉｊをベッド本体４内に収容しておくことができる。
【００８７】
ユニット収容凹部３の周囲の外枠部２もスプリングユニット５と同様に弾性体で形成するが、外枠部２に隣接して配置されるスプリングユニット５ｉｊ、５ｆのバネ定数と大きく異ならないある程度の硬さを有するバネ定数の弾性体とするのが好ましい。
【００８８】
ベッド本体４の外枠部２に配置される枕６の高さは、図９に示すように、仰臥位でベッド本体４に平行な直線状とした使用者の胴部中心軸ＢＴに対して頭頸部中心軸ＨＴが１５度±５度傾斜して連続する高さに調整する。頭頸部中心軸ＨＴは、図９に示すように、頭から胴部に至る体表面によって規定される頭頸部内部にある力学的な回転中心軸であり、前頭部左右と後頭部の左右の４点を結ぶ四辺形の対角線の交点である頭部中心Ａと、胸部中心Ｂとを結ぶ直線で、頭を枕６に乗せた仰臥位での胴部中心軸ＢＴに対する頭頸部中心軸ＨＴの傾斜角度は、仰臥位頸椎傾斜角に近似する。つまり、寝返りの時の頭頸部の回転中心は、リアルな人間の頸椎そのものと考えられる。
【００８９】
仰臥位において胴部中心軸ＢＴに対する頭頸部中心軸ＨＴの傾斜を１５度±５度とすることにより、頸椎全体のアライメント（並び）が保たれ、脊髄神経や頸神経の圧迫がなく血液循環が保たれ、一方、頭頸部中心軸ＨＴの胴部中心軸ＢＴに対する傾斜角が２０度を越えると、気道が圧迫されて息苦しく、１０度未満とになると、頸椎が湾曲してその間の頸神経が圧迫される可能性がある。
【００９０】
枕６は、上述の高さとなるような均一な厚さで、頭が沈み込まない程度の硬さ、例えば羽毛やビーズ、ポリエステル等の柔らかい中材を含まない適度な硬さとすることが望ましい。硬すぎると頭の一点に体圧が集中して痛みが生じ、柔らかすぎると頭が枕６に沈み込み、頸椎のアライメントが不良となり神経の圧迫が生じるとともに、頭を枕６の上で回転させて寝返りする際の寝返り抵抗が大きくなる。
【００９１】
また、図８に示すように、仰臥位と左右の側臥位のいずれであっても頭を支持するように、枕６の左右方向幅は少なくとも５００ｍｍ以上の幅で、寝返りの際に頭が転がり易くするように、平面は平坦であるのが望ましい。
【００９２】
枕６の平面をほぼ平坦とし、仰臥位と側臥位で使用者の頭を同じ高さで支持すると、図９に示すように、仰臥位の睡眠姿勢で胴部中心軸ＢＴに対して１５度±５度で傾斜する頭頸部中心軸ＨＴは、寝返りを行って左右の側臥位の睡眠姿勢に移行すると、胴部中心軸ＢＴとなす角度が徐々に小さくなり、図１０に示すように、側臥位では臥床面に対してほぼ水平となり、胴部中心軸ＢＴの上方に直線状に連続するものとなる。
【００９３】
その結果、左右の側臥位の睡眠姿勢においても、解剖学的に頸椎アライメントが良好に保たれ、脊髄神経や頸神経の圧迫が少なく、筋肉の緊張がゆるみ血液循環が保たれるばかりか、頭頸部中心軸ＨＴと胴部中心軸ＢＴが臥床面に対して平行な直線状に連続するので、ベッド本体４と枕６の上を頭と胴部が同期して左右に転がりやすく、左右の側臥位から仰臥位へスムーズに寝返りを行うことができる。
【００９４】
ベッド本体４の表面を覆う保護パッド８は、ここでは左右方向幅が５００ｍｍ以上で、調整した枕６の高さが変更されないように、図１に示すように枕６の部分が切り欠かれた長方形状に形成される。保護パッド８は、羊毛、ウレタン等からなる薄肉のベッドパッドであり、それ自体ほぼ弾性を有しないが、ユニット収容凹部３に収容するスプリングユニット５ｉｊの平面を含むベッド本体４の表面を覆うことにより、隣接するスプリングユニット５ｉｊのバネ定数がある程度異なっても、その境界での急激な体圧変化が緩和される。従って、ベッド本体４から受ける体圧が保護パッド４により分散され全体で緩やかに変化するので、部分的に神経が圧迫されたり、身体の一部の変形が生じない。
【００９５】
図１１は、上述構成の仰側臥位対応ベッド１について、使用者の身体的特徴に応じて各領域Ａ毎にスプリングユニット５のバネ定数と枕６の高さを調整する例を示すもので、図中各領域Ａ内に示す数値は、８段階に調整するスプリングユニット５ｉｊのバネ定数の最小値（最も柔らかい）を１、最大値（最も硬い）を８として、その領域Ａに収容されるスプリングユニット５のバネ定数を８段階に分けたランクを示し、枕６の右側の数値は、その枕６のベッド本体４からの高さを示している。
【００９６】
例えば、同図（ａ）に示す使用者は、背部や肩峰が臀部や大転子より突出しているので、第２行目の領域５２ｊより第１行目の領域５１ｊのバネ定数を低く、第１行目の領域５１ｊの沈み込み量を大きくして、仰臥位と側臥位での胴部中心軸ＢＴを水平な直線状とする。また、同図（ｂ）に示す使用者は、大転子の突出量が非対称であるのに応じて領域５２１と領域５２３のバネ定数を異ならせるとともに、同図（ａ）に示す使用者より体重が重いので、全ての領域Ａでのスプリングユニット５のバネ定数を相対的に高くして、ベッド本体４に大きく沈み込まないようにしている。また、使用者が男性である同図（ａ）、（ｂ）に対して、女性である同図（ｃ）、（ｄ）では、相対的に小柄で軽量であることから、枕６の高さが６０ｍｍと相対的に低く、更に、全ての領域Ａでのスプリングユニット５のバネ定数を相対的に低く調整することによって、軽量であっても、背部と臀部の中間の第４腰椎にスプリングユニット５が軽く当接するようにしている。
【００９７】
上述のように使用者の身体的特徴に応じてベッド本体４と枕６を調整した仰側臥位対応ベッド１（寝具Ａ）と、ベッド本体の臥床面が均一なバネ定数の従来のベッド（寝具Ｂ）での睡眠姿勢を比較するため、成人１７名の被験者を寝具Ａと寝具Ｂのそれぞれで終夜睡眠させ、その睡眠姿勢を動画撮影により解析した。解析は、図５に示すベッド本体４の被験者の胴部が中央列部（Ａｉ２）に位置し、頭が枕６の中央にあるときの仰臥位と、被験者の胴部が右列部（Ａｉ１）と左列部（Ａｉ３）に位置し、頭が枕６の左右にあるときの側臥位をそれぞれ期待睡眠姿勢とし、全睡眠時間に対して、撮影動画により観察する睡眠姿勢が期待睡眠姿勢に一致する一致時間の比を一致率とし、頭と胴部の一致率を寝具Ａと寝具Ｂで求めた。
【００９８】
表１は、うつぶせ寝や呼吸障害による大きな体動が観察され、寝具Ａと寝具Ｂの一致率に相関が見られなかった被験者４名を除く、１１名の被験者の頭と胴部のそれぞれの一致率を寝具Ａと寝具Ｂについて表している。
【００９９】
【表１】
0006535229.tif 000002
【０１００】
表１によれば、寝具Ａと寝具Ｂの一致率を比較したＰ値は、頭で０．０２１、胴部で０．０００４と、それぞれ優位性の基準とする０．０５、０．０１より低く、従来の寝具Ｂに対する本実施の形態にかかる寝具Ａの優位性が認められた。
【０１０１】
上述の実施の形態では、仰臥位の睡眠姿勢で胴部中心軸ＢＴに対して頭頸部中心軸ＨＴが１５度±５度で傾斜するように枕６の高さを調整しているが、その高さの調整は１ｍｍ単位の精度で行う必要があり、その都度異なる高さの枕６を用意する必要がある。
【０１０２】
図１２、図１３は、枕６の高さを調整する昇降装置２２を用いてこの課題を解決した本発明の第２実施の形態にかかる仰側臥位対応ベッド２０を示している。仰側臥位対応ベッド２０は、仰側臥位対応ベッド１と比較して、ベッド本体２１の外枠部２３の形状が異なり、昇降装置２２を別に備えるだけであるので、これらの図中で仰側臥位対応ベッド１と同一若しくは同様に作用する各部の構成には同一番号を付してその説明を省略する。
【０１０３】
図１２に示すように、枕６を昇降する昇降装置２２は、外枠部２３の上方枠の一部を切り欠いた開口部２３ａ内に配置される。枕６の高さを可変調整する昇降装置としては、伸縮する空気袋への空気の流出で枕６の高さを可変制御する空気圧方式とモーターの回転軸の回転をネジ歯車で昇降動作に変換する機械式とがあるが、空気圧方式では上述の１ｍｍ単位の昇降制御ができないため、本実施の形態では機械式の昇降装置２２を用いている。
【０１０４】
しかしながら、機械式の昇降装置２２は、少なくとも１０ｃｍ以上の高さを要し、ベッド本体２１上に配置した場合には枕６の高さを１０ｃｍ以下に調整できないので、外枠部２３の開口部２３ａ内に配置する。
【０１０５】
本実施の形態にかかる仰側臥位対応ベッド２０によれば、宿泊施設など不特定な使用者が同一のベッドを使用する場合にも、使用者の身体的特徴に合わせて枕６を交換することなく、仰臥位の睡眠姿勢で胴部中心軸ＢＴに対して頭頸部中心軸ＨＴが１５度±５度で傾斜するように枕６の高さを調整できる。
【０１０６】
また、上述の各実施の形態では、中央列部（Ａｉ２）と右列部（Ａｉ１）と左列部（Ａｉ３）が同一幅であり、従って、３行３列の各領域Ａｉｊに収容するスプリングユニット５ｉｊは、同一の外形で各領域Ａｉｊに兼用できるものであったが、子供や肩幅の狭い使用者は、仰臥位の使用者が位置する中央列部（Ａｉ２）が狭く、仮想設定する中央列部（Ａｉ２）と右列部（Ａｉ１）と左列部（Ａｉ３）が等幅であると、側臥位で肩峰が右列部（Ａｉ１）や左列部（Ａｉ３）に達しない場合が生じる。
【０１０７】
そこで、使用者の身体的特徴に合わせて、ユニット収容凹部３内に仮想設定する各領域Ａの大きさを変えてもよい。図１４は、肩幅の狭い使用者に応じて、中央列部（Ａｉ２）の左右幅を狭めた本発明の第３実施の形態にかかる仰側臥位対応ベッド３０を示し、同図に示すように、中央列部の各領域（Ａｉ２）の左右幅を狭めた結果、仰臥位の背部と臀部をそれぞれ支持するスプリングユニット５１２’とスプリングユニット５２２’の左右幅は狭く、側臥位の肩峰と大転子をそれぞれ支持するスプリングユニット５１１’、５１３’、５２１’、５２３’の左右幅が広くなっている。これにより、肩幅が狭い使用者であっても、側臥位で肩峰が確実にスプリングユニット５１１’、５１３’によって支持され、これらのバネ定数を調整することにより、側臥位での胴部中心軸ＢＴを臥床面に平行な直線状とすることができる。
【０１０８】
同様に、身長が高く、背部と臀部との間隔が長い使用者には、第２行目の各領域（Ａ２Ｊ）の上下方向幅を長くとり、誤って臀部や大転子が第３行目の各領域（Ａ３Ｊ）に位置しないようにすることもできる。
【０１０９】
また、上述の各実施の形態では、立方体状の袋体５ａ内に多数のコイルスプリングを並列に配置してスプリングユニット５を構成し、スプリングユニット５のバネ定数を、袋体５ａ内に収容される全てのコイルスプリングを圧縮した際の加重と平面の変位(沈み込み量)とから決定しているが、スプリングユニット５の平面に加える押し下げ加重と変位（沈み込み量）との関係が明らかであり、押し下げ加重を解除すると復元する弾性体であれば、コイルスプリングに代えて、ポリエチレン樹脂などの合成繊維からなる太糸をランダムな立体網目状に接合した網状弾性体、ポリウレタン樹脂を組成とした連通気泡の発泡体からなる低反発弾性フォーム、ポリウレタン、ラテックス、合成ゴム等の弾性材料の１又は２種類以上を複合させたクッションを用いてもよく、また、これらの弾性体の平面がそのままベッドの平面の一部を形成できるような外形であれば、必ずしも袋体５ａ内に収容することなく、そのままスプリングユニット５としてもよい。
【０１１０】
この種の弾性体は、応力を加えるとひずみが生じ、除けば元の寸法に戻るが、コイルスプリングのようないわゆるバネ材と異なり、加える加重と変位（沈み込み量）とは必ずしも比例関係になく、コイルスプリングについて用いているバネ定数のような比例定数が存在しない。例えば、繊維集合体である網状弾性体であれば、合成繊維自体の弾力と繊維間の摩擦による影響で加重と変位は必ずしもリニアに変化しないが、少なくとも加重と変位の間に一定の相関があり、同じ加重であっても、その構造や材料を変化させることにより異なる変位が定性的に得られる。ここでは、一定加重に対する変位（沈み込み量）の比を弾力性といい、一定荷重に対して相対的に変位（沈み込み量）が大きい、いわゆる柔らかい弾力がある場合を弾力性が低いと、変位（沈み込み量）が小さい、いわゆる硬い弾力がある場合を弾力性が高いという。
【０１１１】
ユニット収容凹部３に仮想設定した各領域Ａｉｊと足部領域Ａｆに収容するスプリングユニット５の弾力性を調整することにより、ベッド本体４に支持される使用者の各身体位置の沈み込み量を領域Ａｉｊと足部領域Ａｆの単位で調整でき、仰臥位での睡眠姿勢を支配する背部と臀部と、側臥位での睡眠姿勢を支配する肩峰と大転子とが接するベッド本体４の沈み込み量を、使用者の身体的特徴に合わせて個別に調整できる。
【０１１２】
例えばバネ定数の異なるコイルスプリング５を用意するのと同様に、弾力性が８段階で異なる８種類のスプリングユニット５ｉｊを用意しておき、いずれかのスプリングユニット５ｉｊから、仰臥位の睡眠姿勢を支配する背部と臀部を支持する領域Ａ１２、Ａ２２には、図３に示すように、仰臥位において至適睡眠姿勢とする最適な弾力性のスプリングユニット５１２、５２２を選択して収容するとともに、側臥位の睡眠姿勢を支配する左右の肩峰と大転子を支持する領域Ａ１１、Ａ１３、Ａ２１、Ａ２３には、側臥位においても至適睡眠姿勢とする最適な弾力性のスプリングユニット５１１、５１３、５２１、５２３を選択して収容する。
【０１１３】
また、上述の実施の形態では、枕６を除くベッド本体４、２１の平面全体を保護パッド８で覆っているが、枕６の高さを調整しない場合や、保護パッド８の厚さを考慮して枕６の高さを調整する場合には、ベッド本体４、２１の平面全体を保護パッド８で覆ってもよい。
【０１１４】
また、ベッド本体４、２１の平面に極端なバネ圧の変化が表れなければ、シーツなどを保護パッド８に代用し、必ずしも一定の肉厚の保護パッド８は配置しなくてもよい。
【０１１５】
また、各スプリングユニット５ｉｊにコイルバネを用いる場合のバネ定数の調整は、あらかじめ複数のバネ定数の異なるスプリングユニット５ｉｊから特定のバネ定数のスプリングユニット５ｉｊを選択することにより行っているが、内蔵するコイルスプリングを交換したり、表面に別の弾性体を積層させるなどで個別にバネ定数を調整してもよく、各スプリングユニット５ｉｊは、コイルバネを用いたものと上記弾性体を用いたものとを混在させてたものであってもよい。
【０１１６】
また、仰臥位と側臥位で使用者の胴部中心軸ＢＴをベッド本体４の平面（臥床面）に平行な直線状とする調整は、胸部上方の第７頸椎から腰椎を経て骨盤中心までの直線を厳密にベッド本体４の平面（臥床面）に平行となるように調整する必要はなく、外形から判断する胸部から臀部にかけての体表面によって規定される胴体の中心が、ベッド本体４の平面（臥床面）に平行な直線状となるように調整すれば十分である。
【産業上の利用可能性】
【０１１７】
本発明は、ベッドの上で寝返りを繰り返す仰側臥位対応ベッドに適している。
【符号の説明】
【０１１８】
１、２０、３０  仰側臥位対応ベッド
３  ユニット収容凹部
４、２１  ベッド本体
５  スプリングユニット
６  枕
８  保護パッド
２２  昇降装置
Ａ    領域
Ａｉ２  中央列部
Ａ１２  上部中央領域
Ａ２２  下部中央領域
Ａｉ１  右列部
Ａ１１、Ａ１３  上部サイド領域
Ａ２１、Ａ２３  下部サイド領域
ＢＴ  胴部中心軸
ＨＴ  頭頸部中心軸  
【図１】
0006535229.tif 000003
【図２】
0006535229.tif 000004
【図３】
0006535229.tif 000005
【図４】
0006535229.tif 000006
【図５】
0006535229.tif 000007
【図６】
0006535229.tif 000008
【図７】
0006535229.tif 000009
【図８】
0006535229.tif 000010
【図９】
0006535229.tif 000011
【図１０】
0006535229.tif 000012
【図１１】
0006535229.tif 000013
【図１２】
0006535229.tif 000014
【図１３】
0006535229.tif 000015
【図１４】
0006535229.tif 000016